(57)【要約】  本発明は、光ネットワークにおける固定接続及び相手先選択接続間の移行のための方法を開示する。この方法は、現在の接続の入口ノードが接続移行要求情報を受信し、現在の固定接続のサービス信号伝送の方向に順番に入口ノードから現在の接続の出口ノードまで、各ノードに接続移行要求のメッセージを転送し、移行要求のメッセージを受信した後に入口ノードまで各ノードで順番に２つの接続モード間での移行を行なうことを含む。本発明は光ネットワークの各ノードにおいて接続モード間の移行を行ない、固定接続及び相手先選択接続間のスムーズな移行を実現し、サービス端末とサービスデータ効率の損失を回避し、ネットワーク・サービス稼動中の柔軟性を向上させる。
2007500955.tif 000002
【特許請求の範囲】
【請求項１】
ａ）接続移行要求のメッセージを受信した後で、現在の接続の入口ノードが、現在の接続の入口ノードから開始し出口ノードまでの現在の接続のトラフィック信号の伝送方向においてノードごとに接続移行要求のメッセージを転送することと、
ｂ）移行要求のメッセージを受信した後にノードごとに固定接続及び相手先選択接続間の移行を行なうことと、
を含む、光ネットワークにおける固定接続及び相手先選択接続間の移行のための方法。
【請求項２】
前記接続移行要求のメッセージを転送するステップと、前記方法における接続移行のプロセスが、ノードの制御プレーンによって実行され、接続移行要求のメッセージが制御リンクを介して転送される、請求項１に記載の方法。
【請求項３】
前記固定接続及び相手先選択接続間での移行プロセスにおける固定接続から相手先選択接続への移行は、ノードの制御プレーン上に相手先選択接続の状態を作成し、このノードにおける固定接続の相互接続を制御プレーンに渡すことを含む、請求項２に記載の方法。
【請求項４】
前記固定接続及び相手先選択接続間での移行プロセスにおける相手先選択接続から固定接続への移行は、ノードの制御プレーンから現在の相手先選択接続の状態を削除し、このノードにおける相手先選択接続の相互接続を管理プレーンに渡すことを含む、請求項２に記載の方法。
【請求項５】
前記制御プレーンがＴＣＰ／ＩＰプロトコルに基づいており、前記固定接続及び相手先選択接続間での移行がＲＳＶＰ−ＴＥ信号プロトコル若しくはＣＲ−ＬＤＰ信号プロトコルを用いることによって実施される、請求項２、３及び４のいずれか１つに記載の方法。
【請求項６】
前記方法のステップｂ）におけるノードごとの前記固定接続及び相手先選択接続間での移行は、接続移行要求のメッセージが出口ノードに到達した後で、出口ノードから入口ノードまで接続移行要求のメッセージの転送経路の逆方向に、固定接続及び相手先選択接続間の移行をノードごとに行なうことを含む、請求項１に記載の方法。
【請求項７】
各前記ノードは、移行を完了した後で、入口ノードまで移行を行なうことが要求された次のノードに対し移行完了通知のメッセージを送信し、前記入口ノードが前記移行完了通知のメッセージを接続移行要求の開始元に送信することをさらに含む、請求項６に記載の方法。
【請求項８】
前記方法のステップｂ）におけるノードごとの固定接続及び相手先選択接続間での前記移行は、接続移行要求のメッセージが受信された直後に、各ノードが固定接続及び相手先選択接続間の移行を行なうことを含む、請求項１に記載の方法。
【請求項９】
すべての前記ノードが移行を完了した後で、出口ノードから入口ノードまで前記要求のメッセージの転送経路の逆方向にノードごとに移行完了通知のメッセージを転送し、前記入口ノードが前記移行完了通知のメッセージを接続移行要求の開始元に送信することをさらに含む、
請求項８に記載の方法。
【請求項１０】
前記移行完了通知のメッセージが、移行の接続リンク全体の経路情報を含む、請求項７又は請求項９に記載の方法。
【請求項１１】
前記固定接続及び相手先選択接続間の移行が相手先選択接続から固定接続への移行である場合、前記移行完了通知のメッセージが現在の相手先選択接続の識別子を含む、請求項７又は請求項９に記載の方法。
【請求項１２】
入口ノードによって受信された前記接続移行要求のメッセージが、移行されるよう現在要求されている接続の入口ノードの入口ノード識別子と入力ポート情報、又は入口ノード識別子と出力ポート情報を含み、各ノードがメッセージを転送する前に該ノード自体の出力ポート情報を接続移行要求のメッセージに加える、請求項１に記載の方法。
【請求項１３】
各ノードによる前記接続移行要求のメッセージを転送するプロセスにおいて、前記メッセージが入力ポート情報を含む場合に、現在のノードから次のノードへの出力ポート情報が接続移行要求のメッセージに加えられ、前記メッセージが出力ポート情報を含む場合、現在のノードから次のノードへの入力ポート情報が接続移行要求のメッセージに加えられる、請求項１２に記載の方法。
【請求項１４】
前記入力ポート情報が、入力ポートの識別子、入力チャネルの識別子、若しくはそれらの組み合わせを含み、前記出力ポート情報が、出力ポートの識別子、出力チャネルの識別子、若しくはそれらの組み合わせを含む、請求項１２に記載の方法。
【請求項１５】
前記ノード自体の出力ポート情報が、現在のノードの入力ポート情報に基づいてノード自体に格納される相互接続情報を問い合わせることによって、取得される、請求項１２に記載の方法。
【請求項１６】
前記入口ノードが固定接続及び相手先選択接続間の移行を行なう前に、受信された接続移行要求のメッセージ内に含まれる、入口ノード識別子と入力ポート情報、又は入口ノード識別子と出力ポート情報が適切であるか否か判断し、肯定判断である場合、移行を行ない、そうでない場合、失敗のメッセージを返送し、この処理を終了することを更に含む、請求項１２に記載の方法。
【請求項１７】
前記入口ノードによって受信される接続移行要求のメッセージが、出口ノード識別子、又は、移行されるよう要求される現在の接続の出口ノードにおける出口ノード識別子と出力ポート情報を更に含む、請求項１２に記載の方法。
【請求項１８】
前記出口ノードが固定接続及び相手先選択接続間の移行を行なう前に、受信された接続移行要求のメッセージに含まれる出口ノード識別子、又は出口ノード識別子及び出力ポート情報が適切であるか否かを判断し、肯定判断である場合、ノードにおいて相手先選択接続を作成又は削除し、そうでない場合、失敗のメッセージを返送し、この処理を終了することを更に含む、請求項１７に記載の方法。
【請求項１９】
前記固定接続及び相手先選択接続間の移行が相手先選択接続から固定接続への移行である場合、前記入口ノードによって受信される接続移行要求のメッセージが、現在の相手先選択接続の識別子を含む、請求項１に記載の方法。
【請求項２０】
前記接続が単方向接続又は双方向接続である、請求項１に記載の方法。
【請求項２１】
前記方法における前記相手先選択接続が、ネットワーク管理システムによって開始されるソフト相手先固定接続、又はクライアント装置若しくはそのプロクシによって開始される相手先選択接続である、請求項１に記載の方法。
【請求項２２】
前記光ネットワークが、同期ディジタル・ハイアラーキ、同期光ネットワーク、あるいは波長交換網である、請求項１に記載の方法。
【発明の詳細な説明】
【技術分野】
【０００１】
本発明は、光ネットワークにおける固定接続及び相手先選択接続間の移行に関し、より詳細には、サービス中断なしに光ネットワークにおける固定接続及び相手先選択接続間の移行を実装するための方法に関する。
【背景技術】
【０００２】
光ネットワークは、同期ディジタル・ハイアラーキ（ＳＤＨ）／同期光ネットワーク（Ｓｏｎｅｔ）、波長交換網などを含んでいる。従来の光ネットワークは集中的管理に基づくシステムであり、ネットワークのノード間の接続サービスは（相手先）固定接続によって実施される。接続の経路は、接続要件及びネットワーク資源の利用可能性に基づいて管理プレーンによって事前に計算され、次に、相互（クロス）接続コマンドがネットワーク管理インタフェース−トランスポート（ＮＭＩ−Ｔ）を介して接続経路上のノードに送信されて、統一的な指定及び割り当てが実行され、最終的には、通信チャネルの確立を実現する。固定接続のアプローチは、設計が簡単であり、低コストであることから、光ネットワークの当初の発展に良好な効果をもたらした。しかしながら、固定接続のアプローチによる光接続の確立、維持、及び解除は、人間の作業又はネットワーク管理システムの関与を必要とする。トラフィックデータの継続的増加とともに、この接続の方法は、光ネットワークシステムの動的性及び柔軟性に対する要求をもはや満たすことができない。
【０００３】
この問題を解決する鍵は、動的な光スイッチングの実施である。そういうわけで、ＩＴＵ−Ｔが自動切換え光ネットワーク（ＡＳＯＮ）のアーキテクチャを提案しており、これは制御プレーンを従来の光ネットワークに加え、相手先選択接続の概念を提示するものである。この構想によると、光ネットワークにおけるノードは、最初にリンク発見技術によってこのノードの他のノードとのリンク接続関係を得て、次に、制御プレーンを介してノード及びリンクの状態を発行し、ネットワークにおける他のノードの状態発行を受信する。最終的には、すべての光ノードは、ネットワークの正確なトポロジーを説明し、ノード、リンク及び資源に関する種々の情報を含む「ネッワーク・マップ」を有することになる。ノードがクライアントや管理システムによって要求されて接続を確立するとき、このノードは、最初にルーティングの特定のアルゴリズムと組み合わされる「ネッワーク・マップ」の情報を使用して経路を計算し、次に、相互接続を確立するためのプロトコルを信号送りすることによって、経路上にノードを駆動する。ネットワーク接続が動的に生成されたり解除されるとき、あるいは故障によってリンク資源に変化がもたらされるとき、関連するノードは、適時にノード及びリンクの更新状態を発行して「ネッワーク・マップ」の再同期を達成する。ＡＳＯＮにおいて、ノードから受信される接続要求がクライアント装置又はプロクシから来る場合、生じられる接続は相手先選択接続と称され、要求がネットワーク管理システムから来る場合、生じられた接続はソフト相手先固定接続と称される。本明細書中で、相手先選択接続及びソフト固定接続はともに、別に指定がない限り相手先選択接続と称される。ネットワークに故障が発生したとき、例えばリンクが切断したり若しくはノードが故障したときに、相手先選択接続又はソフト固定接続が切断された場合、制御プレーンは接続の経路（ルーティング）を動的に再作成し、トラフィックを回復させることができることになる。この相手先選択接続の方法を備えた光ネットワークは、動的特性及び柔軟性があり、増大するデータトラフィックの要件を満たすことができる。
【０００４】
相手先選択接続の方法が多くの効果を有するにもかかわらず、従来の供給ベースの光ネットワークをＡＳＯＮにアップグレードすることは長期にわたる進展の過程となる。それは、ネットワーク機器、ネットワーク管理システム、オペレーティングシステムや支援システムの他に、他のネットワークの局面についてのアップグレーディングをも含むシステム工学の巨大なプロジェクトであるからである。現在の変遷の過程において、制御プレーンは、一部のノードにおいてのみ実施されている。制御プレーンが実施されたこうした「インテリジェント」ノードにおいても、手動で行なわれる接続は即座に消滅することはなく、固定接続及び相手先選択接続はネットワークに共存することになる。固定接続及び相手先選択接続がネットワークに共存するとき、ネットワーク資源は通常、管理プレーンによって接続にそれぞれ割り当てられ、その後に割り当てを変化させることは容易ではない。しかしながら、資源の静的割当てでは光ネットワークの変化するトラフィックを満足させることができないことが多い。オペレータが２つの接続のモードによってそれぞれ占有される資源を再び割り当てるように固定接続及び相手先選択接続間での移行を行ない、その異なる特性を利用することは多くの場合に必要である。
【０００５】
しかしながら、従来の技術では、固定接続及び相手先選択接続間における移行の方法は提供されていない。こうした移行を行なうことが必要とされるとき、移行される接続は最初に解除されなければならず、次に、要求されるモードの接続が、解除された接続からの資源を使用して作成されることができる。この移行の方法は、トラフィックの中断、ネットワーク伝送中のデータへの破損、サービスの動作に対する問題、及びオペレータにとって不都合な状態を引き起こすことがあり、ＡＳＯＮへのネットワーク進展にさらに影響を及ぼすこともある。
【発明の開示】
【発明が解決しようとする課題】
【０００６】
上記したことを考慮して、本発明は、トラフィックを中断することなく固定接続及び相手先選択接続間の移行を実施し、移行のプロセスを安全且つ簡便に行ない、さらにＡＳＯＮ技術を促進するために、光ネットワークにおける固定接続及び相手先選択接続間の移行の方法を提供する。
【課題を解決するための手段】
【０００７】
本発明に従って、光ネットワークにおける固定接続及び相手先選択接続間の移行のための方法は、ａ）接続移行要求のメッセージを受信した後で、現在の接続の入口ノードが、現在の接続の入口ノードから開始し出口ノードまでの現在の接続のトラフィック信号の伝送方向においてノードごとに接続移行要求のメッセージを転送することと、ｂ）移行要求のメッセージを受信した後にノードごとに固定接続及び相手先選択接続間の移行を行なうことと、を含む、
【０００８】
この方法において前記接続移行要求のメッセージを転送するステップと、接続移行のプロセスが、ノードの制御プレーンによって実行され、接続移行要求のメッセージが制御リンクを介して転送される。
【０００９】
この方法での前記固定接続及び相手先選択接続間の移行における固定接続から相手先選択接続への移行は、ノードの制御プレーン上に相手先選択接続の状態を作成し、このノードにおける固定接続の相互接続を制御プレーンに渡すことを含む。
【００１０】
この方法での前記固定接続及び相手先選択接続間の移行における相手先選択接続から固定接続への移行は、ノードの制御プレーンから現在の相手先選択接続の状態を削除し、このノードにおける相手先選択接続の相互接続を管理プレーンに渡すことを含む。
【００１１】
この方法における前記制御プレーンはＴＣＰ／ＩＰプロトコルに基づいており、前記固定接続及び相手先選択接続間での移行は、トラフィック・エンジニアリング拡張子を備えたリソース・リザベーション・プロトコル（ＲＳＶＰ−ＴＥ）の信号プロトコル、又は制約に基づくルーティング・ラベル分配プロトコル（ＣＲ−ＬＤＰ）の信号プロトコルを用いることによって実施される。
【００１２】
前記方法のステップｂ）におけるノードごとの前記固定接続及び相手先選択接続間での移行は、接続移行要求のメッセージが出口ノードに到達した後で、出口ノードから入口ノードまで接続移行要求のメッセージの転送経路の逆方向に、固定接続及び相手先選択接続間の移行をノードごとに行なうことを含む。
【００１３】
前記方法は、各前記ノードが、移行を完了した後で、入口ノードまで移行を行なうことが要求された次のノードに対し移行完了通知のメッセージを送信し、前記入口ノードが前記移行完了通知のメッセージを接続移行要求の開始元に送信することをさらに含む。
【００１４】
前記方法のステップｂ）におけるノードごとの固定接続及び相手先選択接続間での前記移行は、接続移行要求のメッセージが受信された直後に、各ノードが固定接続及び相手先選択接続間の移行を行なうことを含む。
【００１５】
前記方法は、すべての前記ノードが移行を完了した後で、出口ノードから入口ノードまで前記要求のメッセージの転送経路の逆方向にノードごとに移行完了通知のメッセージを転送し、前記入口ノードが前記移行完了通知のメッセージを接続移行要求の開始元に送信することをさらに含む。
【００１６】
前記移行完了通知のメッセージは、移行の接続リンク全体の経路情報を含む。
【００１７】
前記固定接続及び相手先選択接続間の移行が相手先選択接続から固定接続への移行である場合、前記移行完了通知のメッセージが現在の相手先選択接続の識別子を含む。
【００１８】
入口ノードによって受信された前記接続移行要求のメッセージは、移行されるよう現在要求されている接続の入口ノードの入口ノード識別子と入力ポート情報、又は入口ノード識別子と出力ポート情報を含み、各ノードがメッセージを転送する前に該ノード自体の出力ポート情報を接続移行要求のメッセージに加える。
【００１９】
各ノードによる前記接続移行要求のメッセージを転送するプロセスにおいて、前記メッセージが入力ポート情報を含む場合に、現在のノードから次のノードへの出力ポート情報が接続移行要求のメッセージに加えられ、前記メッセージが出力ポート情報を含む場合、現在のノードから次のノードへの入力ポート情報が接続移行要求のメッセージに加えられる。
【００２０】
前記入力ポート情報は、入力ポートの識別子、入力チャネルの識別子、若しくはそれらの組み合わせを含み、前記出力ポート情報は、出力ポートの識別子、出力チャネルの識別子、若しくはそれらの組み合わせを含む。
【００２１】
前記ノード自体の出力ポート情報は、現在のノードの入力ポート情報に基づいてノード自体に格納される相互接続情報を問い合わせることによって、取得される。
【００２２】
前記方法は、前記入口ノードが固定接続及び相手先選択接続間の移行を行なう前に、受信された接続移行要求のメッセージ内に含まれる、入口ノード識別子と入力ポート情報、又は入口ノード識別子と出力ポート情報が適切であるか否か判断し、肯定判断である場合、移行を行ない、そうでない場合、失敗のメッセージを返送し、この処理を終了することを更に含む。
【００２３】
前記入口ノードによって受信される接続移行要求のメッセージは、出口ノード識別子、又は、移行されるよう要求される現在の接続の出口ノードにおける出口ノード識別子と出力ポート情報を更に含む。
【００２４】
前記方法は、前記出口ノードが固定接続及び相手先選択接続間の移行を行なう前に、受信された接続移行要求のメッセージに含まれる出口ノード識別子、又は出口ノード識別子及び出力ポート情報が適切であるか否かを判断し、肯定判断である場合、ノードにおいて相手先選択接続を作成又は削除し、そうでない場合、失敗のメッセージを返送し、この処理を終了することを更に含む。
【００２５】
前記固定接続及び相手先選択接続間の移行が相手先選択接続から固定接続への移行である場合、前記入口ノードによって受信される接続移行要求のメッセージは、現在の相手先選択接続の識別子を含む。
【００２６】
前記方法における前記接続は単方向接続又は双方向接続である。
【００２７】
前記方法における前記相手先選択接続は、ネットワーク管理システムによって開始されるソフト相手先固定接続、又はクライアント装置若しくはそのプロクシによって開始される相手先選択接続である。
【００２８】
前記光ネットワークは、同期ディジタル・ハイアラーキ、同期光ネットワーク、あるいは波長交換網である。
【発明の効果】
【００２９】
本発明によれば、上記の解決手法から、固定接続及び相手先選択接続間でのスムーズな移行が光ネットワークの各関連するノードにおいてノードごとに移行を行なうことによって実現され、サービス端末及びトラフィックデータに対する送信損失を事実上回避し、ネットワーク・サービスの実施をより柔軟に行なうことが理解できる。
【発明を実施するための最良の形態】
【００３０】
本発明は、添付の図面を参照して以下に詳述される。
【００３１】
本発明はＳＤＨ／ＳＯＮＥＴ波長交換網のような光ネットワークに適用でき、複数のノード及び該ノードを接続するリンクがある。接続モードの移行を行なうことが要求されるネットワークノードは、３つのプレーンを有する。即ち、伝送プレーン、制御プレーン及び管理プレーンである。制御プレーンは、伝送プレーンを制御し、相手先選択接続の作成をサポートする。管理プレーンは制御プレーンを及び伝送プレーンを管理し、固定接続の作成をサポートする。
【００３２】
本発明の解決手法は、図１に示すような例を参照して述べられる。図１に示すような光ネットワークは６つのノード、即ち、ノードＡ乃至ノードＦから構成され、これらのノードはそれぞれ、伝送プレーンＡＴ−ＦＴ及び制御プレーンＡＣ−ＦＣを有し、伝送プレーン及び制御プレーンは、物理的に分離されるか、又は物理的には結合されているが、論理的には分離されることができる。各ノードはまた、管理プレーンを含み、これは、伝送プレーン及び制御プレーンをネットワーク管理システムによって管理可能にする。明確さを期すために、管理プレーンは図１に示されていない。これらのノードは光リンクによって接続され、これは図１において直線で示されている。ノードの実際の制御プレーンは制御リンクを介して相互に通信を行ない、これらは図１において点線で示されている。制御リンクのチャネルは論理的なものであり、例えばＳＤＨ／ＳＯＮＥＴにおいてオーバヘッド・バイトを使用するような種々の方法で具体的に実装されることができる。光リンクの標準的接続は、この光ネットワークの各ノード間で確立され、制御プレーンは、制御チャネルを介して隣接ノードと標準セッションを確立している。リンク管理プロトコルにより、各ノードは隣接するノードとの光リンクの接続を取得し、隣接するノードの光リンクとの接続は、リンク状態に基づく経路（ルーティング）プロトコルを介して広がり、最終的には各ノードにおいて一貫性のある「ネットワーク・マップ」を作成する。これは、すべてのネットワーク・ノード、これらノード間のリンクの接続、及びリンク資源に関する情報を含む。さらに、各ノードには相互接続の表があり、これは、そのノードにおける各ポートとチャネルとの接続を記録する。さらにまた、ネットワークにはＡ−Ｂ−Ｅ−Ｆの接続が作成されており、これは図１において一点鎖線で示されている。このネットワークにおいて、前述の制御プレーンは通常、ＴＣＰ／ＩＰプロトコルに基づいており、固定接続及び相手先選択接続間の移行は、ＲＳＶＰ−ＴＥ信号プロトコル若しくはＣＲ−ＬＤＰ信号プロトコルを用いて実施される。
【００３３】
図１における作成されたＡ−Ｂ−Ｅ−Ｆの接続が固定接続であり、相手先選択接続に移行される必要があるとき、移行のプロセスは、図２に示す次のようなステップを有する。
ステップ２０１：ソフト固定接続の場合はネットワーク管理システムが、又は相手先選択接続の場合はクライアント装置が、入口ノード（ノードＡ）に対し、Ａ−Ｂ−Ｅ−Ｆの固定接続を相手先選択接続に移行するための接続移行要求のメッセージを送信する。
【００３４】
本明細書中で述べられるメッセージは、ネットワーク管理システムから送信される場合、通常はコマンドであり、クライアント装置から送信される場合、通常は信号送信である。
【００３５】
前述の接続移行要求のメッセージは、ルーティング・レコード（経路記録）のリストを含んでいる。移行すべき現在の固定接続Ａ−Ｂ−Ｅ−Ｆが入口ノードＡの入力ポート若しくは入力チャネルから開始し、出口ノードＦの出力ポート若しくは出力チャネルで終了する場合、接続移行要求のメッセージにおけるルーティング・レコードのリストは少なくとも、入口ノードのＩＤ及びその入力ポート情報を含むべきであり、移行すべき現在の固定接続Ａ−Ｂ−Ｅ−Ｆが入口ノードＡから開始し、出口ノードＦで終了する場合、接続移行要求のメッセージにおけるルーティング・レコードのリストは少なくとも、入口ノードのＩＤ及びその出力ポート情報を含むべきである。本明細書中に述べられる入力ポート情報は、ノードの入力ポートのＩＤであり、移行すべき固定接続が、ポートの特定のチャネルを含む場合、入力ポート情報は、入力ポートがある入力チャネルのＩＤをさらに含むべきである。出力ポート情報が出力ポートのＩＤであり、移行すべき固定接続が、ポートの特定のチャネルを含む場合、出力ポート情報は、出力ポートのチャネルのＩＤをさらに含むべきである。この例示された実施の形態におけるすべてのネットワーク装置の識別子は、ネットワーク装置のＩＤによって表示される。さらに、前述のリストは、現在の接続の方向情報、即ち双方向性若しくは単方向性、接続のペイロード形式などをさらに含むこともできる。さらにまた、出口ノードが次のステップ２０５において接続移行要求のメッセージを確認するのに都合よくするために、出口ノードのＩＤが要求のメッセージに加えられることもでき、移行すべき現在の固定接続が入口ノードＡの入力ポート若しくは入力チャネルから開始し、出口ノードＦの出力ポート若しくは出力チャネルで終了する場合、出口ノードの出力ポート情報は同様にメッセージに含まれるべきである。
【００３６】
ステップ２０２：入口ノードＡがその入力ポートから、ステップ２０１で送信された接続移行要求のメッセージを受信した後で、要求のメッセージが入口ノードの入力ポートＩＤ及び入口ノードの入力ポート情報を含む場合、Ａ自体の相互接続のリストに格納された相互接続情報と共に上記情報を介して移行されるよう要求される現在の固定接続のノードＡにおいて出力ポート情報を所得し、その出力ポート情報を要求のメッセージに加える。接続移行要求のメッセージが出力ポート情報を含む場合、その出力ポート情報を要求のメッセージのルーティング・レコードのリストに直接的に加える。その後、次のノード、すなわち隣接リンクの管理及び保守のために制御プレーンに格納されるリンクの接続関係、即ち「ネットワーク・マップ」によりノードＢのＩＤを取得し、ＩＰベースの制御チャネルを介して移行要求のメッセージをノードＢに送信する。
【００３７】
このステップを実行する好ましい方法は、ノードＡが接続移行要求のメッセージを受信した後で、前もってメッセージの情報を確認することを更に含み、詳細には、信号に含まれる入力ポートのノードＩＤが存在するか否かをチェックし、入力ポート情報が存在するかどうかをチェックし、メッセージが入力ポート情報を含む場合にそのチャネル上に固定接続が存在するかどうかをチェックすることを含み、これが肯定判断される場合、ステップ２０２における後続サブステップに進み、そうでない場合、エラーのメッセージを移行要求の開始元に返送し、処理を終了する。このように、誤ったメッセージからの干渉を回避することができる。
【００３８】
ステップ２０３：ノードＢは、ノードＡから送信された接続移行要求のメッセージを受信した後に、該メッセージから、その前のノード、すなわちノードＡの出力ポート情報を取得することができる。次に、移行すべき固定接続のノードＢにおける関連入力ポート情報は、リンク管理及び保守のためのノードＢの相互接続表に格納されるリンクの接続関係と結合される前述の出力ポート情報に従って取得されることができる。その後、ノードＡと同様なステップを行ない、すなわち、入力ポート情報によって出力ポート情報を見つけ出し、その出力ポート情報を、移行要求のメッセージにおけるルーティング・レコードのリストの最後に加え、次のノードＥのＩＤを取得し、制御チャネルを介して移行要求のメッセージをノードＥに送信する。
【００３９】
ステップ２０４：ノードＥは、ノードＢから送信された接続移行要求のメッセージを受信した後で、ノードＢのそれと同様に出口ノードＦにメッセージを転送する。
【００４０】
ステップ２０５：ノードＦがノードＥから送信された接続移行要求のメッセージを受信した後で、ノードＦの制御プレーン上に要求される相手先選択接続の状態を確立し、該接続によって占有されるポート、チャネル及び交差接続資源を制御プレーンに渡し、移行完了通知のメッセージを生成し、これは接続移行要求のメッセージ内のルーティング・レコードのリストの情報のすべてを保存し、加えられたこのノードのＩＤを有する。接続移行要求のメッセージが入口ノードの入力ポート情報を含む場合、出口ノード、すなわち出力ポートのＩＤ若しくは出力チャネルのＩＤ、の出力ポート情報を、移行完了通知のメッセージに加えるべきである。このようにして、移行すべき固定接続のリンクの完全な経路情報が、移行完了通知のメッセージに含まれる。その後、移行完了通知のメッセージは、接続移行要求のメッセージの転送経路の逆方向、すなわちＦ−Ｅ−Ｂ−Ａの経路に沿って転送される。
【００４１】
このステップでは、好ましくはノードＦがＥから送信された接続移行要求のメッセージを受信した後で、メッセージが正しいか否かさらに確認し、これは詳細には、メッセージに含まれる出口ノードのＩＤの分析を行ない、出口ノードの出力ポート情報もメッセージに含まれている場合、出力ポート情報の分析を行ない、前述の情報をこのノードのＩＤ及び出力ポート情報と比較して、それら一致しているかを判定することを含む。一致している場合、接続移行要求を受け入れ、ステップ２０５の後続サブステップを続けて行ない、そうでない場合、Ｆ−Ｅ−Ｂ−Ａの経路に沿ってエラーのメッセージを開始元に返送し、エラーの原因を示し、処理を終了する。このステップを実行するとき、ノードＦの出力ポート情報、すなわち出力ポートのＩＤ若しくはノードＦにおける出力チャネルのＩＤは、ノードＢ及びＥにおける場合と同様にして取得されることができる。
【００４２】
ステップ２０６：ノードＥがノードＦにおけるのと同様に、ノードＦから送信される移行完了通知のメッセージを受信した後で、その制御プレーン上に要求される相手先選択接続の状態を確立し、このノードの相互接続及び制御プレーンへの接続によって占有される資源を渡し、移行完了通知のメッセージをノードＢに転送する。
【００４３】
ステップ２０７：ノードＢがノードＥから送信される移行完了通知のメッセージを受信した後で、ノードＥにおけるのと同様にして相手先選択接続を確立し、その後移行完了通知のメッセージをノードＡに返送する。
【００４４】
ステップ２０８：ノードＡがノードＢから送信される移行完了通知のメッセージを受信した後で、ノードＥ及びノードＢにおけるのと同じようにして相手先選択接続をノードＡに確立する。移行が成功した場合、移行完了通知のメッセージをメッセージの開始元に返送する。この時点において、Ａ−Ｂ−Ｅ−Ｆの固定接続が相手先選択接続に移行され、これは、例えば動的回復などの他の相手先選択接続と同じ機能を有する。移行が失敗した場合、失敗のメッセージを該メッセージの開始元に返送し、処理を終了する。
【００４５】
本実施の形態において、移行要求のメッセージが、移行すべき固定接続の下流方向に、すなわち接続のトラフィック信号の流れに沿ってノードごとに連続して転送され、相手先選択接続の最終的な作成が出口ノードから上流方向にノードごとに完了されることは、上記の説明から理解できる。双方向接続に関して、トラフィック信号が流れるいずれの方向をも、移行を行なうために選択することができる。
【００４６】
図１のＡ−Ｂ−Ｅ−Ｆの接続が相手先選択接続であり、Ａ−Ｂ−Ｅ−Ｆの相手先選択接続を固定接続に変換することが必要とされる場合、移行のプロセスは図３に示すような次のステップを有する。
【００４７】
ステップ３０１：ソフト固定接続の場合はネットワーク管理システムが、相手先選択接続の場合はクライアント装置が、相手先選択接続を固定接続に移行するための接続移行要求のメッセージを入口ノードＡに送信する。その前のプロセスと区別するために、このメッセージは、逆移行要求のメッセージと称される。
【００４８】
相手先選択接続から固定接続への逆移行のプロセスにおいて、通常は各ノードのローカル制御プレーン上に相手先選択接続の他のノードの経路情報が保存されているので、好ましい解決手法は、逆移行要求に現在の相手先選択接続のＩＤのみを含むことである。通常、相手先選択接続のＩＤは、相手先選択接続の開始ノード及び終了ノードのそれぞれのＩＤ、セッションのＩＤ、接続グループのＩＤ、及び例示された接続のＩＤを含み、これらを用いて、現在の相手先選択接続の各ノードは対応する経路情報をローカルで見いだし、逆移行要求のメッセージを発送することができる。
【００４９】
言うまでもなく、ルーティング・レコードのリストもまた、接続移行要求のメッセージの場合のように、逆移行要求のメッセージに含まれることもある。すなわち、移行すべき現在の相手先選択接続Ａ−Ｂ−Ｅ−Ｆが入口ノードＡの入力ポート若しくは入力チャネルから開始し、出口ノードＦの出力ポート若しくは出力チャネルで終了する場合、接続移行要求のメッセージ内のルーティング・レコードのリストは、少なくとも入口ノードのＩＤ及びその入力ポート情報を含むべきであり、移行すべき現在の相手先選択接続Ａ−Ｂ−Ｅ−Ｆが入口ノードＡから開始し、出口ノードＦで終了する場合、接続移行要求のメッセージ内のルーティング・レコードのリストは、少なくとも入口ノードのＩＤ及びその出力ポート情報を含むべきである。本明細書中に述べられる入力ポート情報は、ノードの入力ポートのＩＤを含み、移行すべき相手先選択接続がそのポートのチャネルを含む場合、入力ポートの入力チャネルのＩＤをさらに含むべきであり、出力ポート情報は、出力ポートのＩＤを含み、移行すべき相手先選択接続がそのポートのチャネルを含む場合、出力ポートのチャネルのＩＤをさらに含むべきである。本実施の形態において、各ネットワーク装置の識別子は、そのネットワーク装置のＩＤによって表示される。さらに、前述のリストは、現在の接続の方向、即ち双方向性若しくは単方向性、接続のペイロード形式などを更に含むこともできる。さらにまた、出口ノードが次のステップ３０５において接続移行要求のメッセージを確認するのに都合よくするために、出口ノードのＩＤは要求のメッセージに加えることもでき、移行すべき相手先選択接続が入口ノードＡの入力ポート若しくは入力チャネルから開始し、出口ノードＦの出力ポート若しくは出力チャネルで終了する場合、出口ノードの出力ポート情報が同じようにメッセージに含まれるべきである。
【００５０】
ステップ３０２：入口ノードＡは、ステップ３０１においてその入力ポートから逆移行要求のメッセージを受信した後に、制御プレーンから削除されている状態にあるように接続を表示するが、相互接続は削除せず、現在の相手先選択接続のＩＤが逆移行要求のメッセージに含まれる場合、そのＩＤに従ってローカルに（そのノード内で）次のノードＢへの経路情報を見いだして、逆移行要求のメッセージを発送する。
【００５１】
逆移行のメッセージが入口ノードの入力ポートＩＤ及び入口ノードの入力ポート情報を含む場合、Ａ自体の相互接続の表に格納される相互接続情報と共に出力ポート情報を介して移行されるよう要求される現在の相手先選択接続のノードＡにおける出力ポート情報を取得し、その出力ポート情報を逆移行要求のメッセージに出力ポート情報を加え、逆移行要求のメッセージが出力ポート情報を含む場合、その出力ポート情報を逆移行要求のメッセージのルーティング・レコードのリストに直接的に加える。そして、隣接リンク管理及び保守のための制御プレーンに格納されるリンクの接続関係、即ち「ネットワーク・マップ」に従って次のノード（即ちノードＢ）のＩＤを取得し、ＩＰベースの制御プレーンを介して逆移行要求のメッセージをノードＢに送信する。
【００５２】
さらに、ノードＡが接続移行要求のメッセージを受信した後で、前もってメッセージの情報を確認することもまた可能であり、これは詳細には、信号送信に含まれる入力ポートのノードＩＤが存在するか否かチェックし、入力ポート情報が存在するかをチェックし、メッセージが入力ポート情報を含む場合にチャネル上に相手先選択接続が存在するかどうかをチェックし、チェック結果が肯定される場合、ステップ３０２における後続サブステップに移行し、そうでなければ、エラーのメッセージを移行要求の開始元に返送し、処理を終了する。このようにして、誤ったメッセージの干渉を回避することができる。
【００５３】
ステップ３０３：ノードＢは、ノードＡから送信される逆移行要求のメッセージを受信した後で、制御プレーンから削除されている状態のように接続をマーク付けするが、相互接続は削除せず、現在の相手先選択接続の識別子が逆移行要求のメッセージに含まれる場合、識別子に従ってローカルに次のノードＥへの経路情報を見いだし、逆移行要求のメッセージを発送する。
【００５４】
ルーティング・リストが逆移行要求のメッセージに含まれる場合、ノードＡの出力ポート情報を取得することができる。そして、管理及び保守のための相互接続のそれ自体の表に格納されるリンクの接続関係に基づいて、移行すべき相手先選択接続のノードＢにおける関連入力ポート情報を取得することができる。その後、ノードＡと同じようなステップを行ない、即ち、入力ポート情報を介して出力ポート情報を見いだし、その出力ポート情報を移行要求のメッセージのルーティング・レコードのリストの最後に加え、その後、「ネッワークマップ」に従って次のノードＥのＩＤを取得し、制御チャネルを介して逆移行要求のメッセージをノードＥに送信する。
【００５５】
ステップ３０４：ノードＥは、ノードＢから送信される逆移行要求のメッセージを受信した後で、ノードＢと同じ動作を実行し、逆移行要求のメッセージを出口ノードＦに転送する。
【００５６】
ステップ３０５：ノードＥから送信された逆移行要求のメッセージを受信した後で、ノードＦは、制御プレーン内の相手先選択接続の状態を削除するが、接続の相互接続は削除せず、接続によって占有される資源を管理プレーンに渡し、移行完了通知のメッセージを生成する。現在の相手先選択接続の識別子が逆移行要求のメッセージに含まれる場合、識別子は抽出され、移行完了通知のメッセージに挿入される。移行完了通知のメッセージは、移行要求のメッセージを転送する経路の逆方向に転送され、即ち、Ｆ−Ｅ−Ｂ−Ａの経路に送信される。
【００５７】
逆移行要求のメッセージがルーティング・リストを含む場合、移行要求のメッセージにおけるルーティング・レコードのリストの情報のすべてが移行完了通知のメッセージ内に保存され、このノードのＩＤがそれに加えられる。接続移行要求のメッセージが入口ノードの入力ポート情報を含む場合、出口ノードの出力ポート情報、すなわち出力ポートのＩＤ若しくは出力チャネルのＩＤを、移行完了通知のメッセージに加えられなければならない。このようにして、移行された接続のリンクの完全なルーティングは、移行完了通知のメッセージに含まれる。そして、移行完了通知のメッセージは、接続移行要求のメッセージの転送経路の逆方向に転送され、すなわちＦ−Ｅ−Ｂ−Ａの経路に沿って転送される。
【００５８】
好ましくはこのステップにおいて、ノードＦがノードＥから送信される逆移行要求のメッセージを受信した後で、さらに、このメッセージに含まれる情報が正しいか否かを確認し、このことは詳細には、メッセージに含まれる出口ノードのＩＤの分析を行ない、一方では、出口ノードの出力ポート情報もまたメッセージに含まれる場合、出力ポート情報の分析を行ない、前述の情報をこのノードのＩＤ及び出力ポート情報と比較して、それらが一致するかを判断することを含む。一致する場合、逆移行要求を受け入れ、ステップ３０５の後続サブステップを続けて行ない、そうでなければ、Ｆ−Ｅ−Ｂ−Ａの経路に沿って失敗の原因を含む失敗のメッセージを開始元に返送し、処理を終了する。このステップを実行するときに、ノードＦ自体の出力ポート情報、すなわちノードＦにおける出力ポートのＩＤ若しくは出力チャネルのＩＤを、ノードＢ及びＥでの処理と同じようにして取得してもよい。
【００５９】
ステップ３０６：ノードＥは、ノードＦによって転送される移行完了通知のメッセージを受信した後で、ノードＦと同様に、制御プレーン内の相手先選択接続の情報を削除するが、その相互接続は削除せず、接続によって占有される資源を管理プレーンに渡し、次に、移行完了通知のメッセージをノードＢに転送する。
【００６０】
ステップ３０７：ノードＥによって転送される逆移行完了通知のメッセージを受信した後で、ノードＢは、ノードＥと同じようにして相手先選択接続を削除してから、移行完了通知のメッセージをノードＡに転送する。
【００６１】
ステップ３０８：ノードＢによって転送される移行完了通知のメッセージを受信した後で、ノードＡは、ノードＥ及びノードＢと同じようにして相手先選択接続を削除するが、この接続の相互接続を削除せず、接続によって占有される資源を管理プレーンに渡す。逆移行が成功した場合、ノードＡは移行完了通知のメッセージを開始元に転送する。この時までに、相手先選択接続Ａ−Ｂ−Ｅ−Ｆは固定接続に移行され、制御プレーンは、接続によって占有される資源をもはや管理しない。移行が失敗した場合、失敗のメッセージは要求の開始元に返送され、処理は終了する。
【００６２】
固定接続から相手先選択接続へと移行するプロセスと同じように、本実施の形態における逆移行要求のメッセージは、移行すべき相手先選択接続の下流方向に、すなわち接続のトラフィック信号の流れに沿って、連続的にノードごとに転送され、一方、相手先選択接続の削除は、上流方向に出口ノードからノードごとに実行される。双方向接続に関して、移行を行なうためにトラフィック信号が流れる方向を選択することができる。
【００６３】
上記の好ましい実施の形態において、光ネットワークにおける固定接続及び相手先選択接続間の移行は、前述の接続移行要求のメッセージが出口ノードに到達した後、接続移行要求のメッセージの転送経路の逆方向に、出口ノードから開始して入口ノードまで連続的にノードごとに実行される。一方、本発明による固定接続及び相手先選択接続間における移行のプロセスはまた、接続移行要求のメッセージの経路、即ちＡ−Ｂ−Ｅ−Ｆに沿って進行することもでき、これは詳細には、各ノードが接続移行要求のメッセージを受信した直後に固定接続及び相手先選択接続間での移行を行ない、そのノードが接続移行を完了した後で移行すべき次のノードに接続移行要求のメッセージを転送し、最後のノード若しくは出口ノードが移行を完了した後で上流方向に、即ち図１の光ネットワークにおけるＦ−Ｅ−Ｂ−Ａの方向に移行要求の開始元まで移行完了通知のメッセージを送信することを含み、接続移行要求のメッセージ及び移行完了通知のメッセージのそれぞれの内容と、ノードごとのメッセージの処理は、上記実施の形態の場合と全く同じである。
【００６４】
上記の解決手法において、開始元によって送信される接続移行要求のメッセージが移行すべきリンクのルーティングのすべて又は一部を含む場合、前述のメッセージがノードに到達した後でノードは要求のメッセージに含まれるルーティングの分析を行ない、メッセージに含まれる次のノードに関するルーティングが、ノードのそれ自体の相互接続表及び「ネットワーク・マップ」において自動的に見いだされる次のノードに関するルーティングと一致するかどうかを判断することができる。一致した場合、後続ステップの動作を続けて行ない、そうでなければ、エラーが検出されるノードの識別子を含むエラーのメッセージを移行要求の開始元に返送し、処理を終了する。
【００６５】
上記の説明が本発明の好ましい実施の形態を示すものであり、それらに制限するのでないことは理解すべきである。本発明の精神及び原理から逸脱することのない変形例、同等物、代替物若しくは改良は、本発明の保護範囲内に含まれるべきである。
【図面の簡単な説明】
【００６６】
【図１】図１は、本発明の例示された実施の形態において制御プレーンを備えた光ネットワーク、及びネットワーク接続を示す概略図である。
【図２】図２は、固定接続から相手先選択接続への移行を示すフローチャートである。
【図３】図３は、相手先選択接続から固定接続への移行を示すフローチャートである。
【図１】
2007500955.tif 000003
【図２】
2007500955.tif 000004
【図３】
2007500955.tif 000005
【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
ａ）接続移行要求のメッセージを受信した後で、現在の接続の入口ノードが、現在の接続の入口ノードから開始し出口ノードまでの現在の接続のトラフィック信号の伝送方向においてノードごとに接続移行要求のメッセージを転送することと、
ｂ）移行要求のメッセージを受信した後にノードごとに固定接続及び相手先選択接続間の移行を行なうことと、
を含む、伝送ネットワークにおける固定接続及び相手先選択接続間の移行のための方法。
【請求項２】
前記接続移行要求のメッセージを転送するステップと、前記方法における接続移行のプロセスが、ノードの制御プレーンによって実行され、接続移行要求のメッセージが制御リンクを介して転送される、請求項１に記載の方法。
【請求項３】
前記固定接続及び相手先選択接続間での移行プロセスにおける固定接続から相手先選択接続への移行は、ノードの制御プレーン上に相手先選択接続の状態を作成し、このノードにおける固定接続の相互接続を制御プレーンに渡すことを含む、請求項２に記載の方法。
【請求項４】
前記固定接続及び相手先選択接続間での移行プロセスにおける相手先選択接続から固定接続への移行は、ノードの制御プレーンから現在の相手先選択接続の状態を削除し、このノードにおける相手先選択接続の相互接続を管理プレーンに渡すことを含む、請求項２に記載の方法。
【請求項５】
前記制御プレーンがＴＣＰ／ＩＰプロトコルに基づいており、前記固定接続及び相手先選択接続間での移行がＲＳＶＰ−ＴＥ信号プロトコル若しくはＣＲ−ＬＤＰ信号プロトコルを用いることによって実施される、請求項２、３及び４のいずれか１つに記載の方法。
【請求項６】
前記方法のステップｂ）におけるノードごとの前記固定接続及び相手先選択接続間での移行は、接続移行要求のメッセージが出口ノードに到達した後で、出口ノードから入口ノードまで接続移行要求のメッセージの転送経路の逆方向に、固定接続及び相手先選択接続間の移行をノードごとに行なうことを含む、請求項１に記載の方法。
【請求項７】
各前記ノードは、移行を完了した後で、入口ノードまで移行を行なうことが要求された次のノードに対し移行完了通知のメッセージを送信し、前記入口ノードが前記移行完了通知のメッセージを接続移行要求の開始元に送信することをさらに含む、請求項６に記載の方法。
【請求項８】
前記方法のステップｂ）におけるノードごとの固定接続及び相手先選択接続間での前記移行は、接続移行要求のメッセージが受信された直後に、各ノードが固定接続及び相手先選択接続間の移行を行なうことを含む、請求項１に記載の方法。
【請求項９】
すべての前記ノードが移行を完了した後で、出口ノードから入口ノードまで前記要求のメッセージの転送経路の逆方向にノードごとに移行完了通知のメッセージを転送し、前記入口ノードが前記移行完了通知のメッセージを接続移行要求の開始元に送信することをさらに含む、
請求項８に記載の方法。
【請求項１０】
前記移行完了通知のメッセージが、移行の接続リンク全体の経路情報を含む、請求項７又は請求項９に記載の方法。
【請求項１１】
前記固定接続及び相手先選択接続間の移行が相手先選択接続から固定接続への移行である場合、前記移行完了通知のメッセージが現在の相手先選択接続の識別子を含む、請求項７又は請求項９に記載の方法。
【請求項１２】
入口ノードによって受信された前記接続移行要求のメッセージが、移行されるよう現在要求されている接続の入口ノードの入口ノード識別子と入力ポート情報、又は入口ノード識別子と出力ポート情報を含み、各ノードがメッセージを転送する前に該ノード自体の出力ポート情報を接続移行要求のメッセージに加える、請求項１に記載の方法。
【請求項１３】
各ノードによる前記接続移行要求のメッセージを転送するプロセスにおいて、前記メッセージが入力ポート情報を含む場合に、現在のノードから次のノードへの出力ポート情報が接続移行要求のメッセージに加えられ、前記メッセージが出力ポート情報を含む場合、現在のノードから次のノードへの入力ポート情報が接続移行要求のメッセージに加えられる、請求項１２に記載の方法。
【請求項１４】
前記入力ポート情報が、入力ポートの識別子、入力チャネルの識別子、若しくはそれらの組み合わせを含み、前記出力ポート情報が、出力ポートの識別子、出力チャネルの識別子、若しくはそれらの組み合わせを含む、請求項１２に記載の方法。
【請求項１５】
前記ノード自体の出力ポート情報が、現在のノードの入力ポート情報に基づいてノード自体に格納される相互接続情報を問い合わせることによって、取得される、請求項１２に記載の方法。
【請求項１６】
前記入口ノードが固定接続及び相手先選択接続間の移行を行なう前に、受信された接続移行要求のメッセージ内に含まれる、入口ノード識別子と入力ポート情報、又は入口ノード識別子と出力ポート情報が適切であるか否か判断し、肯定判断である場合、移行を行ない、そうでない場合、失敗のメッセージを返送し、この処理を終了することを更に含む、請求項１２に記載の方法。
【請求項１７】
前記入口ノードによって受信される接続移行要求のメッセージが、出口ノード識別子、又は、移行されるよう要求される現在の接続の出口ノードにおける出口ノード識別子と出力ポート情報を更に含む、請求項１２に記載の方法。
【請求項１８】
前記出口ノードが固定接続及び相手先選択接続間の移行を行なう前に、受信された接続移行要求のメッセージに含まれる出口ノード識別子、又は出口ノード識別子及び出力ポート情報が適切であるか否かを判断し、肯定判断である場合、ノードにおいて相手先選択接続を作成又は削除し、そうでない場合、失敗のメッセージを返送し、この処理を終了することを更に含む、請求項１７に記載の方法。
【請求項１９】
前記固定接続及び相手先選択接続間の移行が相手先選択接続から固定接続への移行である場合、前記入口ノードによって受信される接続移行要求のメッセージが、現在の相手先選択接続の識別子を含む、請求項１に記載の方法。
【請求項２０】
前記接続が単方向接続又は双方向接続である、請求項１に記載の方法。
【請求項２１】
前記方法における前記相手先選択接続が、ネットワーク管理システムによって開始されるソフト相手先固定接続、又はクライアント装置若しくはそのプロクシによって開始される相手先選択接続である、請求項１に記載の方法。
【請求項２２】
前記伝送ネットワークが、同期ディジタル・ハイアラーキ、同期光ネットワーク、波長交換網、あるいは光転送ネットワーク（ＯＴＮ）である、請求項１に記載の方法。
【手続補正２】
【補正対象書類名】明細書
【補正対象項目名】全文
【補正方法】変更
【補正の内容】
【発明の詳細な説明】
【技術分野】
【０００１】
本発明は、伝送ネットワークにおける固定接続及び相手先選択接続間の移行に関し、より詳細には、サービス中断なしに伝送ネットワークにおける固定接続及び相手先選択接続間の移行を実装するための方法に関する。
【背景技術】
【０００２】
光ネットワークは、同期ディジタル・ハイアラーキ（ＳＤＨ）／同期光ネットワーク（Ｓｏｎｅｔ）、波長交換網などを含んでいる。従来の光ネットワークは集中的管理に基づくシステムであり、ネットワークのノード間の接続サービスは（相手先）固定接続によって実施される。接続の経路は、接続要件及びネットワーク資源の利用可能性に基づいて管理プレーンによって事前に計算され、次に、相互（クロス）接続コマンドがネットワーク管理インタフェース−トランスポート（ＮＭＩ−Ｔ）を介して接続経路上のノードに送信されて、統一的な指定及び割り当てが実行され、最終的には、通信チャネルの確立を実現する。固定接続のアプローチは、設計が簡単であり、低コストであることから、光ネットワークの当初の発展に良好な効果をもたらした。しかしながら、固定接続のアプローチによる光接続の確立、維持、及び解除は、人間の作業又はネットワーク管理システムの関与を必要とする。トラフィックデータの継続的増加とともに、この接続の方法は、光ネットワークシステムの動的性及び柔軟性に対する要求をもはや満たすことができない。
【０００３】
この問題を解決する鍵は、動的な光スイッチングの実施である。そういうわけで、ＩＴＵ−Ｔが自動切換え光ネットワーク（ＡＳＯＮ）のアーキテクチャを提案しており、これは制御プレーンを従来の光ネットワークに加え、相手先選択接続の概念を提示するものである。この構想によると、光ネットワークにおけるノードは、最初にリンク発見技術によってこのノードの他のノードとのリンク接続関係を得て、次に、制御プレーンを介してノード及びリンクの状態を発行し、ネットワークにおける他のノードの状態発行を受信する。最終的には、すべての光ノードは、ネットワークの正確なトポロジーを説明し、ノード、リンク及び資源に関する種々の情報を含む「ネッワーク・マップ」を有することになる。ノードがクライアントや管理システムによって要求されて接続を確立するとき、このノードは、最初にルーティングの特定のアルゴリズムと組み合わされる「ネッワーク・マップ」の情報を使用して経路を計算し、次に、相互接続を確立するためのプロトコルを信号送りすることによって、経路上にノードを駆動する。ネットワーク接続が動的に生成されたり解除されるとき、あるいは故障によってリンク資源に変化がもたらされるとき、関連するノードは、適時にノード及びリンクの更新状態を発行して「ネッワーク・マップ」の再同期を達成する。ＡＳＯＮにおいて、ノードから受信される接続要求がクライアント装置又はプロクシから来る場合、生じられる接続は相手先選択接続と称され、要求がネットワーク管理システムから来る場合、生じられた接続はソフト相手先固定接続と称される。本明細書中で、相手先選択接続及びソフト固定接続はともに、別に指定がない限り相手先選択接続と称される。ネットワークに故障が発生したとき、例えばリンクが切断したり若しくはノードが故障したときに、相手先選択接続又はソフト固定接続が切断された場合、制御プレーンは接続の経路（ルーティング）を動的に再作成し、トラフィックを回復させることができることになる。この相手先選択接続の方法を備えた光ネットワークは、動的特性及び柔軟性があり、増大するデータトラフィックの要件を満たすことができる。
【０００４】
相手先選択接続の方法が多くの効果を有するにもかかわらず、従来の供給ベースの光ネットワークをＡＳＯＮにアップグレードすることは長期にわたる進展の過程となる。それは、ネットワーク機器、ネットワーク管理システム、オペレーティングシステムや支援システムの他に、他のネットワークの局面についてのアップグレーディングをも含むシステム工学の巨大なプロジェクトであるからである。現在の変遷の過程において、制御プレーンは、一部のノードにおいてのみ実施されている。制御プレーンが実施されたこうした「インテリジェント」ノードにおいても、手動で行なわれる接続は即座に消滅することはなく、固定接続及び相手先選択接続はネットワークに共存することになる。固定接続及び相手先選択接続がネットワークに共存するとき、ネットワーク資源は通常、管理プレーンによって接続にそれぞれ割り当てられ、その後に割り当てを変化させることは容易ではない。しかしながら、資源の静的割当てでは光ネットワークの変化するトラフィックを満足させることができないことが多い。オペレータが２つの接続のモードによってそれぞれ占有される資源を再び割り当てるように固定接続及び相手先選択接続間での移行を行ない、その異なる特性を利用することは多くの場合に必要である。
【０００５】
しかしながら、従来の技術では、固定接続及び相手先選択接続間における移行の方法は提供されていない。こうした移行を行なうことが必要とされるとき、移行される接続は最初に解除されなければならず、次に、要求されるモードの接続が、解除された接続からの資源を使用して作成されることができる。この移行の方法は、トラフィックの中断、ネットワーク伝送中のデータへの破損、サービスの動作に対する問題、及びオペレータにとって不都合な状態を引き起こすことがあり、ＡＳＯＮへのネットワーク進展にさらに影響を及ぼすこともある。
【発明の開示】
【発明が解決しようとする課題】
【０００６】
上記したことを考慮して、本発明は、トラフィックを中断することなく固定接続及び相手先選択接続間の移行を実施し、移行のプロセスを安全且つ簡便に行ない、さらにＡＳＯＮ技術を促進するために、伝送ネットワークにおける固定接続及び相手先選択接続間の移行の方法を提供する。
【課題を解決するための手段】
【０００７】
本発明に従って、伝送ネットワークにおける固定接続及び相手先選択接続間の移行のための方法は、ａ）接続移行要求のメッセージを受信した後で、現在の接続の入口ノードが、現在の接続の入口ノードから開始し出口ノードまでの現在の接続のトラフィック信号の伝送方向においてノードごとに接続移行要求のメッセージを転送することと、ｂ）移行要求のメッセージを受信した後にノードごとに固定接続及び相手先選択接続間の移行を行なうことと、を含む、
【０００８】
この方法において前記接続移行要求のメッセージを転送するステップと、接続移行のプロセスが、ノードの制御プレーンによって実行され、接続移行要求のメッセージが制御リンクを介して転送される。
【０００９】
この方法での前記固定接続及び相手先選択接続間の移行における固定接続から相手先選択接続への移行は、ノードの制御プレーン上に相手先選択接続の状態を作成し、このノードにおける固定接続の相互接続を制御プレーンに渡すことを含む。
【００１０】
この方法での前記固定接続及び相手先選択接続間の移行における相手先選択接続から固定接続への移行は、ノードの制御プレーンから現在の相手先選択接続の状態を削除し、このノードにおける相手先選択接続の相互接続を管理プレーンに渡すことを含む。
【００１１】
この方法における前記制御プレーンはＴＣＰ／ＩＰプロトコルに基づいており、前記固定接続及び相手先選択接続間での移行は、トラフィック・エンジニアリング拡張子を備えたリソース・リザベーション・プロトコル（ＲＳＶＰ−ＴＥ）の信号プロトコル、又は制約に基づくルーティング・ラベル分配プロトコル（ＣＲ−ＬＤＰ）の信号プロトコルを用いることによって実施される。
【００１２】
前記方法のステップｂ）におけるノードごとの前記固定接続及び相手先選択接続間での移行は、接続移行要求のメッセージが出口ノードに到達した後で、出口ノードから入口ノードまで接続移行要求のメッセージの転送経路の逆方向に、固定接続及び相手先選択接続間の移行をノードごとに行なうことを含む。
【００１３】
前記方法は、各前記ノードが、移行を完了した後で、入口ノードまで移行を行なうことが要求された次のノードに対し移行完了通知のメッセージを送信し、前記入口ノードが前記移行完了通知のメッセージを接続移行要求の開始元に送信することをさらに含む。
【００１４】
前記方法のステップｂ）におけるノードごとの固定接続及び相手先選択接続間での前記移行は、接続移行要求のメッセージが受信された直後に、各ノードが固定接続及び相手先選択接続間の移行を行なうことを含む。
【００１５】
前記方法は、すべての前記ノードが移行を完了した後で、出口ノードから入口ノードまで前記要求のメッセージの転送経路の逆方向にノードごとに移行完了通知のメッセージを転送し、前記入口ノードが前記移行完了通知のメッセージを接続移行要求の開始元に送信することをさらに含む。
【００１６】
前記移行完了通知のメッセージは、移行の接続リンク全体の経路情報を含む。
【００１７】
前記固定接続及び相手先選択接続間の移行が相手先選択接続から固定接続への移行である場合、前記移行完了通知のメッセージが現在の相手先選択接続の識別子を含む。
【００１８】
入口ノードによって受信された前記接続移行要求のメッセージは、移行されるよう現在要求されている接続の入口ノードの入口ノード識別子と入力ポート情報、又は入口ノード識別子と出力ポート情報を含み、各ノードがメッセージを転送する前に該ノード自体の出力ポート情報を接続移行要求のメッセージに加える。
【００１９】
各ノードによる前記接続移行要求のメッセージを転送するプロセスにおいて、前記メッセージが入力ポート情報を含む場合に、現在のノードから次のノードへの出力ポート情報が接続移行要求のメッセージに加えられ、前記メッセージが出力ポート情報を含む場合、現在のノードから次のノードへの入力ポート情報が接続移行要求のメッセージに加えられる。
【００２０】
前記入力ポート情報は、入力ポートの識別子、入力チャネルの識別子、若しくはそれらの組み合わせを含み、前記出力ポート情報は、出力ポートの識別子、出力チャネルの識別子、若しくはそれらの組み合わせを含む。
【００２１】
前記ノード自体の出力ポート情報は、現在のノードの入力ポート情報に基づいてノード自体に格納される相互接続情報を問い合わせることによって、取得される。
【００２２】
前記方法は、前記入口ノードが固定接続及び相手先選択接続間の移行を行なう前に、受信された接続移行要求のメッセージ内に含まれる、入口ノード識別子と入力ポート情報、又は入口ノード識別子と出力ポート情報が適切であるか否か判断し、肯定判断である場合、移行を行ない、そうでない場合、失敗のメッセージを返送し、この処理を終了することを更に含む。
【００２３】
前記入口ノードによって受信される接続移行要求のメッセージは、出口ノード識別子、又は、移行されるよう要求される現在の接続の出口ノードにおける出口ノード識別子と出力ポート情報を更に含む。
【００２４】
前記方法は、前記出口ノードが固定接続及び相手先選択接続間の移行を行なう前に、受信された接続移行要求のメッセージに含まれる出口ノード識別子、又は出口ノード識別子及び出力ポート情報が適切であるか否かを判断し、肯定判断である場合、ノードにおいて相手先選択接続を作成又は削除し、そうでない場合、失敗のメッセージを返送し、この処理を終了することを更に含む。
【００２５】
前記固定接続及び相手先選択接続間の移行が相手先選択接続から固定接続への移行である場合、前記入口ノードによって受信される接続移行要求のメッセージは、現在の相手先選択接続の識別子を含む。
【００２６】
前記方法における前記接続は単方向接続又は双方向接続である。
【００２７】
前記方法における前記相手先選択接続は、ネットワーク管理システムによって開始されるソフト相手先固定接続、又はクライアント装置若しくはそのプロクシによって開始される相手先選択接続である。
【００２８】
前記光ネットワークは、同期ディジタル・ハイアラーキ、同期光ネットワーク、波長交換網、あるいは光転送ネットワーク（ＯＴＮ）である。
【発明の効果】
【００２９】
本発明によれば、上記の解決手法から、固定接続及び相手先選択接続間でのスムーズな移行が伝送ネットワークの各関連するノードにおいてノードごとに移行を行なうことによって実現され、サービス端末及びトラフィックデータに対する送信損失を事実上回避し、ネットワーク・サービスの実施をより柔軟に行なうことが理解できる。
【発明を実施するための最良の形態】
【００３０】
本発明は、添付の図面を参照して以下に詳述される。
【００３１】
本発明はＳＤＨ／ＳＯＮＥＴ波長交換網及び光転送ネットワーク（ＯＴＮ）のような光ネットワークに適用でき、複数のノード及び該ノードを接続するリンクがある。接続モードの移行を行なうことが要求されるネットワークノードは、３つのプレーンを有する。即ち、伝送プレーン、制御プレーン及び管理プレーンである。制御プレーンは、伝送プレーンを制御し、相手先選択接続の作成をサポートする。管理プレーンは制御プレーンを及び伝送プレーンを管理し、固定接続の作成をサポートする。
【００３２】
本発明の解決手法は、図１に示すような例を参照して述べられる。図１に示すような光ネットワークは６つのノード、即ち、ノードＡ乃至ノードＦから構成され、これらのノードはそれぞれ、伝送プレーンＡＴ−ＦＴ及び制御プレーンＡＣ−ＦＣを有し、伝送プレーン及び制御プレーンは、物理的に分離されるか、又は物理的には結合されているが、論理的には分離されることができる。各ノードはまた、管理プレーンを含み、これは、伝送プレーン及び制御プレーンをネットワーク管理システムによって管理可能にする。明確さを期すために、管理プレーンは図１に示されていない。これらのノードは光リンクによって接続され、これは図１において直線で示されている。ノードの実際の制御プレーンは制御リンクを介して相互に通信を行ない、これらは図１において点線で示されている。制御リンクのチャネルは論理的なものであり、例えばＳＤＨ／ＳＯＮＥＴにおいてオーバヘッド・バイトを使用するような種々の方法で具体的に実装されることができる。光リンクの標準的接続は、この光ネットワークの各ノード間で確立され、制御プレーンは、制御チャネルを介して隣接ノードと標準セッションを確立している。リンク管理プロトコルにより、各ノードは隣接するノードとの光リンクの接続を取得し、隣接するノードの光リンクとの接続は、リンク状態に基づく経路（ルーティング）プロトコルを介して広がり、最終的には各ノードにおいて一貫性のある「ネットワーク・マップ」を作成する。これは、すべてのネットワーク・ノード、これらノード間のリンクの接続、及びリンク資源に関する情報を含む。さらに、各ノードには相互接続の表があり、これは、そのノードにおける各ポートとチャネルとの接続を記録する。さらにまた、ネットワークにはＡ−Ｂ−Ｅ−Ｆの接続が作成されており、これは図１において一点鎖線で示されている。このネットワークにおいて、前述の制御プレーンは通常、ＴＣＰ／ＩＰプロトコルに基づいており、固定接続及び相手先選択接続間の移行は、ＲＳＶＰ−ＴＥ信号プロトコル若しくはＣＲ−ＬＤＰ信号プロトコルを用いて実施される。
【００３３】
図１における作成されたＡ−Ｂ−Ｅ−Ｆの接続が固定接続であり、相手先選択接続に移行される必要があるとき、移行のプロセスは、図２に示す次のようなステップを有する。
ステップ２０１：ソフト固定接続の場合はネットワーク管理システムが、又は相手先選択接続の場合はクライアント装置が、入口ノード（ノードＡ）に対し、Ａ−Ｂ−Ｅ−Ｆの固定接続を相手先選択接続に移行するための接続移行要求のメッセージを送信する。
【００３４】
本明細書中で述べられるメッセージは、ネットワーク管理システムから送信される場合、通常はコマンドであり、クライアント装置から送信される場合、通常は信号送信である。
【００３５】
前述の接続移行要求のメッセージは、ルーティング・レコード（経路記録）のリストを含んでいる。移行すべき現在の固定接続Ａ−Ｂ−Ｅ−Ｆが入口ノードＡの入力ポート若しくは入力チャネルから開始し、出口ノードＦの出力ポート若しくは出力チャネルで終了する場合、接続移行要求のメッセージにおけるルーティング・レコードのリストは少なくとも、入口ノードのＩＤ及びその入力ポート情報を含むべきであり、移行すべき現在の固定接続Ａ−Ｂ−Ｅ−Ｆが入口ノードＡから開始し、出口ノードＦで終了する場合、接続移行要求のメッセージにおけるルーティング・レコードのリストは少なくとも、入口ノードのＩＤ及びその出力ポート情報を含むべきである。本明細書中に述べられる入力ポート情報は、ノードの入力ポートのＩＤであり、移行すべき固定接続が、ポートの特定のチャネルを含む場合、入力ポート情報は、入力ポートがある入力チャネルのＩＤをさらに含むべきである。出力ポート情報が出力ポートのＩＤであり、移行すべき固定接続が、ポートの特定のチャネルを含む場合、出力ポート情報は、出力ポートのチャネルのＩＤをさらに含むべきである。この例示された実施の形態におけるすべてのネットワーク装置の識別子は、ネットワーク装置のＩＤによって表示される。さらに、前述のリストは、現在の接続の方向情報、即ち双方向性若しくは単方向性、接続のペイロード形式などをさらに含むこともできる。さらにまた、出口ノードが次のステップ２０５において接続移行要求のメッセージを確認するのに都合よくするために、出口ノードのＩＤが要求のメッセージに加えられることもでき、移行すべき現在の固定接続が入口ノードＡの入力ポート若しくは入力チャネルから開始し、出口ノードＦの出力ポート若しくは出力チャネルで終了する場合、出口ノードの出力ポート情報は同様にメッセージに含まれるべきである。
【００３６】
ステップ２０２：入口ノードＡがその入力ポートから、ステップ２０１で送信された接続移行要求のメッセージを受信した後で、要求のメッセージが入口ノードの入力ポートＩＤ及び入口ノードの入力ポート情報を含む場合、Ａ自体の相互接続のリストに格納された相互接続情報と共に上記情報を介して移行されるよう要求される現在の固定接続のノードＡにおいて出力ポート情報を所得し、その出力ポート情報を要求のメッセージに加える。接続移行要求のメッセージが出力ポート情報を含む場合、その出力ポート情報を要求のメッセージのルーティング・レコードのリストに直接的に加える。その後、次のノード、すなわち隣接リンクの管理及び保守のために制御プレーンに格納されるリンクの接続関係、即ち「ネットワーク・マップ」によりノードＢのＩＤを取得し、ＩＰベースの制御チャネルを介して移行要求のメッセージをノードＢに送信する。
【００３７】
このステップを実行する好ましい方法は、ノードＡが接続移行要求のメッセージを受信した後で、前もってメッセージの情報を確認することを更に含み、詳細には、信号に含まれる入力ポートのノードＩＤが存在するか否かをチェックし、入力ポート情報が存在するかどうかをチェックし、メッセージが入力ポート情報を含む場合にそのチャネル上に固定接続が存在するかどうかをチェックすることを含み、これが肯定判断される場合、ステップ２０２における後続サブステップに進み、そうでない場合、エラーのメッセージを移行要求の開始元に返送し、処理を終了する。このように、誤ったメッセージからの干渉を回避することができる。
【００３８】
ステップ２０３：ノードＢは、ノードＡから送信された接続移行要求のメッセージを受信した後に、該メッセージから、その前のノード、すなわちノードＡの出力ポート情報を取得することができる。次に、移行すべき固定接続のノードＢにおける関連入力ポート情報は、リンク管理及び保守のためのノードＢの相互接続表に格納されるリンクの接続関係と結合される前述の出力ポート情報に従って取得されることができる。その後、ノードＡと同様なステップを行ない、すなわち、入力ポート情報によって出力ポート情報を見つけ出し、その出力ポート情報を、移行要求のメッセージにおけるルーティング・レコードのリストの最後に加え、次のノードＥのＩＤを取得し、制御チャネルを介して移行要求のメッセージをノードＥに送信する。
【００３９】
ステップ２０４：ノードＥは、ノードＢから送信された接続移行要求のメッセージを受信した後で、ノードＢのそれと同様に出口ノードＦにメッセージを転送する。
【００４０】
ステップ２０５：ノードＦがノードＥから送信された接続移行要求のメッセージを受信した後で、ノードＦの制御プレーン上に要求される相手先選択接続の状態を確立し、該接続によって占有されるポート、チャネル及び交差接続資源を制御プレーンに渡し、移行完了通知のメッセージを生成し、これは接続移行要求のメッセージ内のルーティング・レコードのリストの情報のすべてを保存し、加えられたこのノードのＩＤを有する。接続移行要求のメッセージが入口ノードの入力ポート情報を含む場合、出口ノード、すなわち出力ポートのＩＤ若しくは出力チャネルのＩＤ、の出力ポート情報を、移行完了通知のメッセージに加えるべきである。このようにして、移行すべき固定接続のリンクの完全な経路情報が、移行完了通知のメッセージに含まれる。その後、移行完了通知のメッセージは、接続移行要求のメッセージの転送経路の逆方向、すなわちＦ−Ｅ−Ｂ−Ａの経路に沿って転送される。
【００４１】
このステップでは、好ましくはノードＦがＥから送信された接続移行要求のメッセージを受信した後で、メッセージが正しいか否かさらに確認し、これは詳細には、メッセージに含まれる出口ノードのＩＤの分析を行ない、出口ノードの出力ポート情報もメッセージに含まれている場合、出力ポート情報の分析を行ない、前述の情報をこのノードのＩＤ及び出力ポート情報と比較して、それら一致しているかを判定することを含む。一致している場合、接続移行要求を受け入れ、ステップ２０５の後続サブステップを続けて行ない、そうでない場合、Ｆ−Ｅ−Ｂ−Ａの経路に沿ってエラーのメッセージを開始元に返送し、エラーの原因を示し、処理を終了する。このステップを実行するとき、ノードＦの出力ポート情報、すなわち出力ポートのＩＤ若しくはノードＦにおける出力チャネルのＩＤは、ノードＢ及びＥにおける場合と同様にして取得されることができる。
【００４２】
ステップ２０６：ノードＥがノードＦにおけるのと同様に、ノードＦから送信される移行完了通知のメッセージを受信した後で、その制御プレーン上に要求される相手先選択接続の状態を確立し、このノードの相互接続及び制御プレーンへの接続によって占有される資源を渡し、移行完了通知のメッセージをノードＢに転送する。
【００４３】
ステップ２０７：ノードＢがノードＥから送信される移行完了通知のメッセージを受信した後で、ノードＥにおけるのと同様にして相手先選択接続を確立し、その後移行完了通知のメッセージをノードＡに返送する。
【００４４】
ステップ２０８：ノードＡがノードＢから送信される移行完了通知のメッセージを受信した後で、ノードＥ及びノードＢにおけるのと同じようにして相手先選択接続をノードＡに確立する。移行が成功した場合、移行完了通知のメッセージをメッセージの開始元に返送する。この時点において、Ａ−Ｂ−Ｅ−Ｆの固定接続が相手先選択接続に移行され、これは、例えば動的回復などの他の相手先選択接続と同じ機能を有する。移行が失敗した場合、失敗のメッセージを該メッセージの開始元に返送し、処理を終了する。
【００４５】
本実施の形態において、移行要求のメッセージが、移行すべき固定接続の下流方向に、すなわち接続のトラフィック信号の流れに沿ってノードごとに連続して転送され、相手先選択接続の最終的な作成が出口ノードから上流方向にノードごとに完了されることは、上記の説明から理解できる。双方向接続に関して、トラフィック信号が流れるいずれの方向をも、移行を行なうために選択することができる。
【００４６】
図１のＡ−Ｂ−Ｅ−Ｆの接続が相手先選択接続であり、Ａ−Ｂ−Ｅ−Ｆの相手先選択接続を固定接続に変換することが必要とされる場合、移行のプロセスは図３に示すような次のステップを有する。
【００４７】
ステップ３０１：ソフト固定接続の場合はネットワーク管理システムが、相手先選択接続の場合はクライアント装置が、相手先選択接続を固定接続に移行するための接続移行要求のメッセージを入口ノードＡに送信する。その前のプロセスと区別するために、このメッセージは、逆移行要求のメッセージと称される。
【００４８】
相手先選択接続から固定接続への逆移行のプロセスにおいて、通常は各ノードのローカル制御プレーン上に相手先選択接続の他のノードの経路情報が保存されているので、好ましい解決手法は、逆移行要求に現在の相手先選択接続のＩＤのみを含むことである。通常、相手先選択接続のＩＤは、相手先選択接続の開始ノード及び終了ノードのそれぞれのＩＤ、セッションのＩＤ、接続グループのＩＤ、及び例示された接続のＩＤを含み、これらを用いて、現在の相手先選択接続の各ノードは対応する経路情報をローカルで見いだし、逆移行要求のメッセージを発送することができる。
【００４９】
言うまでもなく、ルーティング・レコードのリストもまた、接続移行要求のメッセージの場合のように、逆移行要求のメッセージに含まれることもある。すなわち、移行すべき現在の相手先選択接続Ａ−Ｂ−Ｅ−Ｆが入口ノードＡの入力ポート若しくは入力チャネルから開始し、出口ノードＦの出力ポート若しくは出力チャネルで終了する場合、接続移行要求のメッセージ内のルーティング・レコードのリストは、少なくとも入口ノードのＩＤ及びその入力ポート情報を含むべきであり、移行すべき現在の相手先選択接続Ａ−Ｂ−Ｅ−Ｆが入口ノードＡから開始し、出口ノードＦで終了する場合、接続移行要求のメッセージ内のルーティング・レコードのリストは、少なくとも入口ノードのＩＤ及びその出力ポート情報を含むべきである。本明細書中に述べられる入力ポート情報は、ノードの入力ポートのＩＤを含み、移行すべき相手先選択接続がそのポートのチャネルを含む場合、入力ポートの入力チャネルのＩＤをさらに含むべきであり、出力ポート情報は、出力ポートのＩＤを含み、移行すべき相手先選択接続がそのポートのチャネルを含む場合、出力ポートのチャネルのＩＤをさらに含むべきである。本実施の形態において、各ネットワーク装置の識別子は、そのネットワーク装置のＩＤによって表示される。さらに、前述のリストは、現在の接続の方向、即ち双方向性若しくは単方向性、接続のペイロード形式などを更に含むこともできる。さらにまた、出口ノードが次のステップ３０５において接続移行要求のメッセージを確認するのに都合よくするために、出口ノードのＩＤは要求のメッセージに加えることもでき、移行すべき相手先選択接続が入口ノードＡの入力ポート若しくは入力チャネルから開始し、出口ノードＦの出力ポート若しくは出力チャネルで終了する場合、出口ノードの出力ポート情報が同じようにメッセージに含まれるべきである。
【００５０】
ステップ３０２：入口ノードＡは、ステップ３０１においてその入力ポートから逆移行要求のメッセージを受信した後に、制御プレーンから削除されている状態にあるように接続を表示するが、相互接続は削除せず、現在の相手先選択接続のＩＤが逆移行要求のメッセージに含まれる場合、そのＩＤに従ってローカルに（そのノード内で）次のノードＢへの経路情報を見いだして、逆移行要求のメッセージを発送する。
【００５１】
逆移行のメッセージが入口ノードの入力ポートＩＤ及び入口ノードの入力ポート情報を含む場合、Ａ自体の相互接続の表に格納される相互接続情報と共に出力ポート情報を介して移行されるよう要求される現在の相手先選択接続のノードＡにおける出力ポート情報を取得し、その出力ポート情報を逆移行要求のメッセージに出力ポート情報を加え、逆移行要求のメッセージが出力ポート情報を含む場合、その出力ポート情報を逆移行要求のメッセージのルーティング・レコードのリストに直接的に加える。そして、隣接リンク管理及び保守のための制御プレーンに格納されるリンクの接続関係、即ち「ネットワーク・マップ」に従って次のノード（即ちノードＢ）のＩＤを取得し、ＩＰベースの制御プレーンを介して逆移行要求のメッセージをノードＢに送信する。
【００５２】
さらに、ノードＡが接続移行要求のメッセージを受信した後で、前もってメッセージの情報を確認することもまた可能であり、これは詳細には、信号送信に含まれる入力ポートのノードＩＤが存在するか否かチェックし、入力ポート情報が存在するかをチェックし、メッセージが入力ポート情報を含む場合にチャネル上に相手先選択接続が存在するかどうかをチェックし、チェック結果が肯定される場合、ステップ３０２における後続サブステップに移行し、そうでなければ、エラーのメッセージを移行要求の開始元に返送し、処理を終了する。このようにして、誤ったメッセージの干渉を回避することができる。
【００５３】
ステップ３０３：ノードＢは、ノードＡから送信される逆移行要求のメッセージを受信した後で、制御プレーンから削除されている状態のように接続をマーク付けするが、相互接続は削除せず、現在の相手先選択接続の識別子が逆移行要求のメッセージに含まれる場合、識別子に従ってローカルに次のノードＥへの経路情報を見いだし、逆移行要求のメッセージを発送する。
【００５４】
ルーティング・リストが逆移行要求のメッセージに含まれる場合、ノードＡの出力ポート情報を取得することができる。そして、管理及び保守のための相互接続のそれ自体の表に格納されるリンクの接続関係に基づいて、移行すべき相手先選択接続のノードＢにおける関連入力ポート情報を取得することができる。その後、ノードＡと同じようなステップを行ない、即ち、入力ポート情報を介して出力ポート情報を見いだし、その出力ポート情報を移行要求のメッセージのルーティング・レコードのリストの最後に加え、その後、「ネッワークマップ」に従って次のノードＥのＩＤを取得し、制御チャネルを介して逆移行要求のメッセージをノードＥに送信する。
【００５５】
ステップ３０４：ノードＥは、ノードＢから送信される逆移行要求のメッセージを受信した後で、ノードＢと同じ動作を実行し、逆移行要求のメッセージを出口ノードＦに転送する。
【００５６】
ステップ３０５：ノードＥから送信された逆移行要求のメッセージを受信した後で、ノードＦは、制御プレーン内の相手先選択接続の状態を削除するが、接続の相互接続は削除せず、接続によって占有される資源を管理プレーンに渡し、移行完了通知のメッセージを生成する。現在の相手先選択接続の識別子が逆移行要求のメッセージに含まれる場合、識別子は抽出され、移行完了通知のメッセージに挿入される。移行完了通知のメッセージは、移行要求のメッセージを転送する経路の逆方向に転送され、即ち、Ｆ−Ｅ−Ｂ−Ａの経路に送信される。
【００５７】
逆移行要求のメッセージがルーティング・リストを含む場合、移行要求のメッセージにおけるルーティング・レコードのリストの情報のすべてが移行完了通知のメッセージ内に保存され、このノードのＩＤがそれに加えられる。接続移行要求のメッセージが入口ノードの入力ポート情報を含む場合、出口ノードの出力ポート情報、すなわち出力ポートのＩＤ若しくは出力チャネルのＩＤを、移行完了通知のメッセージに加えられなければならない。このようにして、移行された接続のリンクの完全なルーティングは、移行完了通知のメッセージに含まれる。そして、移行完了通知のメッセージは、接続移行要求のメッセージの転送経路の逆方向に転送され、すなわちＦ−Ｅ−Ｂ−Ａの経路に沿って転送される。
【００５８】
好ましくはこのステップにおいて、ノードＦがノードＥから送信される逆移行要求のメッセージを受信した後で、さらに、このメッセージに含まれる情報が正しいか否かを確認し、このことは詳細には、メッセージに含まれる出口ノードのＩＤの分析を行ない、一方では、出口ノードの出力ポート情報もまたメッセージに含まれる場合、出力ポート情報の分析を行ない、前述の情報をこのノードのＩＤ及び出力ポート情報と比較して、それらが一致するかを判断することを含む。一致する場合、逆移行要求を受け入れ、ステップ３０５の後続サブステップを続けて行ない、そうでなければ、Ｆ−Ｅ−Ｂ−Ａの経路に沿って失敗の原因を含む失敗のメッセージを開始元に返送し、処理を終了する。このステップを実行するときに、ノードＦ自体の出力ポート情報、すなわちノードＦにおける出力ポートのＩＤ若しくは出力チャネルのＩＤを、ノードＢ及びＥでの処理と同じようにして取得してもよい。
【００５９】
ステップ３０６：ノードＥは、ノードＦによって転送される移行完了通知のメッセージを受信した後で、ノードＦと同様に、制御プレーン内の相手先選択接続の情報を削除するが、その相互接続は削除せず、接続によって占有される資源を管理プレーンに渡し、次に、移行完了通知のメッセージをノードＢに転送する。
【００６０】
ステップ３０７：ノードＥによって転送される逆移行完了通知のメッセージを受信した後で、ノードＢは、ノードＥと同じようにして相手先選択接続を削除してから、移行完了通知のメッセージをノードＡに転送する。
【００６１】
ステップ３０８：ノードＢによって転送される移行完了通知のメッセージを受信した後で、ノードＡは、ノードＥ及びノードＢと同じようにして相手先選択接続を削除するが、この接続の相互接続を削除せず、接続によって占有される資源を管理プレーンに渡す。逆移行が成功した場合、ノードＡは移行完了通知のメッセージを開始元に転送する。この時までに、相手先選択接続Ａ−Ｂ−Ｅ−Ｆは固定接続に移行され、制御プレーンは、接続によって占有される資源をもはや管理しない。移行が失敗した場合、失敗のメッセージは要求の開始元に返送され、処理は終了する。
【００６２】
固定接続から相手先選択接続へと移行するプロセスと同じように、本実施の形態における逆移行要求のメッセージは、移行すべき相手先選択接続の下流方向に、すなわち接続のトラフィック信号の流れに沿って、連続的にノードごとに転送され、一方、相手先選択接続の削除は、上流方向に出口ノードからノードごとに実行される。双方向接続に関して、移行を行なうためにトラフィック信号が流れる方向を選択することができる。
【００６３】
上記の好ましい実施の形態において、光ネットワークにおける固定接続及び相手先選択接続間の移行は、前述の接続移行要求のメッセージが出口ノードに到達した後、接続移行要求のメッセージの転送経路の逆方向に、出口ノードから開始して入口ノードまで連続的にノードごとに実行される。一方、本発明による固定接続及び相手先選択接続間における移行のプロセスはまた、接続移行要求のメッセージの経路、即ちＡ−Ｂ−Ｅ−Ｆに沿って進行することもでき、これは詳細には、各ノードが接続移行要求のメッセージを受信した直後に固定接続及び相手先選択接続間での移行を行ない、そのノードが接続移行を完了した後で移行すべき次のノードに接続移行要求のメッセージを転送し、最後のノード若しくは出口ノードが移行を完了した後で上流方向に、即ち図１の光ネットワークにおけるＦ−Ｅ−Ｂ−Ａの方向に移行要求の開始元まで移行完了通知のメッセージを送信することを含み、接続移行要求のメッセージ及び移行完了通知のメッセージのそれぞれの内容と、ノードごとのメッセージの処理は、上記実施の形態の場合と全く同じである。
【００６４】
上記の解決手法において、開始元によって送信される接続移行要求のメッセージが移行すべきリンクのルーティングのすべて又は一部を含む場合、前述のメッセージがノードに到達した後でノードは要求のメッセージに含まれるルーティングの分析を行ない、メッセージに含まれる次のノードに関するルーティングが、ノードのそれ自体の相互接続表及び「ネットワーク・マップ」において自動的に見いだされる次のノードに関するルーティングと一致するかどうかを判断することができる。一致した場合、後続ステップの動作を続けて行ない、そうでなければ、エラーが検出されるノードの識別子を含むエラーのメッセージを移行要求の開始元に返送し、処理を終了する。
【００６５】
上記の説明が本発明の好ましい実施の形態を示すものであり、それらに制限するのでないことは理解すべきである。本発明の精神及び原理から逸脱することのない変形例、同等物、代替物若しくは改良は、本発明の保護範囲内に含まれるべきである。
【図面の簡単な説明】
【００６６】
【図１】図１は、本発明の例示された実施の形態において制御プレーンを備えた光ネットワーク、及びネットワーク接続を示す概略図である。
【図２】図２は、固定接続から相手先選択接続への移行を示すフローチャートである。
【図３】図３は、相手先選択接続から固定接続への移行を示すフローチャートである。
【国際調査報告】
2007500955.tif 000006
2007500955.tif 000007
2007500955.tif 000008
2007500955.tif 000009